【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】装着者の頭上を眉間領域から外部後頭部突起部付近まで延在する正面端部と後頭部端部とを有する細長いアーチ形状のフレームから成る眼鏡サポートであって、前記サポートが、正面領域から後頭部領域まで延在するとともに正面領域で共に接合されかつ前記正面領域と後頭部領域との間で離間する第１部材と第２部材とから成る眼鏡サポート。
【請求項２】前記フレームの正面端部に少なくとも一枚のレンズをさらに備えることを特徴とする請求項１に記載の眼鏡サポート。
【請求項３】前記フレームの正面端部に二枚のレンズを備えることを特徴とする請求項
２に記載の眼鏡サポート。
【請求項４】前記サポートの正面端部はレンズに直接接続されていることを特徴とする請求項３に記載の眼鏡サポート。
【請求項５】第１軌道及び第２軌道をさらに備え、前記サポートの正面端部は第1及び第２軌道に接続していることを特徴とする請求項４に記載の眼鏡サポート。
【請求項６】前記第１及び第２レンズの間にはブリッジをさらに備え、前記サポートの正面端部はブリッジに接続されていることを特徴とする請求項３に記載の眼鏡サポート。
【請求項７】前記フレームは、レンズから標準成人装着者の外部後頭部突起部まで延在する十分な長さのアーチを有することを特徴とする請求項２に記載の眼鏡サポート。
【請求項８】前記第１部材及び第２部材は共に後頭部端部で接続されることを特徴とする請求項１に記載の眼鏡サポート。
【請求項９】装着者の鼻上に置くノーズパッドをさらに備えることを特徴とする請求項１に記載の眼鏡サポート。
【請求項１０】前記フレームは１８０°以上のアーチを介し後方に延在することを特徴とする請求項９に記載の眼鏡サポート。
【請求項１１】前記フレームのノーズピースから後頭部領域までが最大直線距離である前記フレーム上に基準点をさらに備え、前記フレームは基準点を越えて少なくとも約２インチ（５０．８ｍｍ）を有するアーチに沿って延在することを特徴とする請求項１０に記載の眼鏡サポート。
【請求項１２】装着者の通常の視線上に少なくとも一枚のレンズを固定する方法であって、装着者の頭を横切って後方に延在するアーチ形フレームを有する眼鏡を提供し、装着者の頭にフレームを設置し、頭の後方にフレームの後方部を配置し、装着者の頭上の少なくとも一部に沿って左右方向に離間する第１及び第２サポートを設置してフレームを固定する、ことを特徴とする方法。
【手続補正２】
【補正対象書類名】明細書
【補正対象項目名】０００９
【補正方法】変更
【補正の内容】
【０００９】
第１及び第２部材の少なくとも一部分は、左右方向に約１/２インチ（１２．７ｍｍ）から約６インチ（１５２．４ｍｍ）までの範囲内の距離で離間している。この第１及び第２部材の少なくとも一部分は、左右方向に約１．５インチ（３８．１ｍｍ）から約３インチ（７６．２ｍｍ）の範囲内で離間しているのが好ましい。ある実施例では、第１及び第２部材の最大間隔は、好ましくは頭上に沿った場所で、約２インチ（５０．８ｍｍ）から約３インチ（７６．２ｍｍ）の範囲内である。
【手続補正３】
【補正対象書類名】明細書
【補正対象項目名】００１１
【補正方法】変更
【補正の内容】
【００１１】
このフレームは、正面端部から後頭部端部までの長さのアーチを有し、このアーチは、レンズや軌道(orbital)から、所望の市場購買層（例えば、成人男子、成人女子、子供、東洋人、西洋人等）の標準的人間装着者の外部後頭部突起部付近まで十分に延在する。この正面端部から後頭部端部までのアーチの長さは、一般に約８インチ（２０３．２ｍｍ）から約１８インチ（４５７．２ｍｍ）までの範囲内であり、大部分の成人の例では、約１４インチ（３５５．６ｍｍ）から約１６インチ（４０６．４ｍｍ）までの範囲である。
【手続補正４】
【補正対象書類名】明細書
【補正対象項目名】００１４
【補正方法】変更
【補正の内容】
【００１４】
一般に、アーチ形フレームは正面端部から約１８０°以上のアーチで後方に延在する。基準点はノーズパッドの中心点から最大直線距離でフレームの内面に確認される。フレームは、好ましくは基準点を越えて後頭部端部へ、少なくとも約２インチ（５０．８ｍｍ），アーチに沿って延びる。概して、フレームは、約２インチ（５０．８ｍｍ）から約６インチ（１５２．４ｍｍ）の範囲内の長さを有するアーチに沿って基準点を越えて延びる。
【手続補正５】
【補正対象書類名】明細書
【補正対象項目名】００１５
【補正方法】変更
【補正の内容】
【００１５】
ノーズパッドの中間点とフレームの後頭部端部との直線距離は、フレームが応力を受けない形状の時、少なくとも約３インチ（７６．２ｍｍ）である事が好ましい。 一般に、ノーズパッドの中間点とフレームの後頭部端部との直線距離は、約５インチ（１２７ｍｍ）から約８インチ（２０３．２ｍｍ）の範囲である。フレームの後頭部端部は、基準点を通る後方接線の前方約１．５インチ（３８．１ｍｍ）から約３．５インチ（８８．９ｍｍ）の範囲内に位置するのが好ましい。
【手続補正６】
【補正対象書類名】明細書
【補正対象項目名】００１７
【補正方法】変更
【補正の内容】
【００１７】
第１及び第２サポートは、好ましくは、約１/２インチ（１２．７ｍｍ）から約６インチ（１５２．４ｍｍ）までの範囲内の距離で左右方向に離間している。第１及び第２サポートの各幅は、約０．００２インチ（０．０５ｍｍ）から約３インチ（７６．２ｍｍ）の範囲内である。
【手続補正７】
【補正対象書類名】明細書
【補正対象項目名】００２４
【補正方法】変更
【補正の内容】
【００２４】
正面端部から後頭部端部までのサポート１２のアーチの長さは、通常約８インチ（２０３．２ｍｍ）から約１８インチ（４５７．２ｍｍ）までの範囲内であり、一般に、ほとんどの成人人間の頭の長さは、約１４インチ（３５５．６ｍｍ）から約１６インチ（４０６．４ｍｍ）の範囲内である。ここに開示した特定の寸法は、参照目的のためであり、特定な商業製品は所望の人々に適するように最適化されているのでその他特定寸法の各種いづれかを選択してもよい。例えば、異なるサイズの商品は成人男子、成人女子、子供や若者の標準寸法に対応して製造される。さらに、成人男女のサイズは、当業者に明らかなように様々な東洋人、西欧人、その他市場人口で異なる。
【手続補正８】
【補正対象書類名】明細書
【補正対象項目名】００２７
【補正方法】変更
【補正の内容】
【００２７】
第１及び第２サポート部材２８及び３０の少なくとも頭接触面は、サポート１２のアーチ長さの少なくとも一部に沿って互いに左右方向に離間し、眼鏡１０を左右方向に固定させる。第１サポート部材２８と第２サポート部材３０との間の左右の離間は、少なくともある点で約１/２インチ（１２．７ｍｍ）から約６インチ（１５２．４ｍｍ）の範囲内で、好ましくは、約１．５インチ（３８．１ｍｍ）から約４インチ（１０１．６ｍｍ）までの範囲内である。ある実施例では、この離間は頭上に沿った少なくともある点で約２インチ（５０．８ｍｍ）から約３インチ（７６．２ｍｍ）の間である。
【手続補正９】
【補正対象書類名】明細書
【補正対象項目名】００２８
【補正方法】変更
【補正の内容】
【００２８】
第１及び第２サポート部材２８及び３０の各幅は、サポート１２で支える荷重によるのと同様に美的問題により変更しても良い。例えば、相対的に軽い荷重（例えば、軽量か又は電気部品無し）を支える本発明のワイヤフレームの実施例では、第１及び第２サポート部材２８及び３０の各々は、約０．０２０インチ（０．５１ｍｍ）から約０．２５インチ（６．３５ｍｍ）の範囲内またはそれ以上の幅を有するワイヤ又はリボンから形成されてもよい。成形又は押出しポリマー部品は、約０．１２５インチ（３．１７５ｍｍ）から約４インチ（１０１．６ｍｍ）までの範囲又はそれ以上の幅を有してもよい。好適には、成形又は押出し成形された第１及び第２サポート部材２８及び３０は、約０．２５インチ（６．３５ｍｍ）から約１．５インチ（３８．１ｍｍ）までの範囲内の幅を有し、サポート１２に沿って電気部材を内包するための広い幅を望まないのであれば、約０．２５インチ
（６．３５ｍｍ）から約０．７５インチ（１９．０ｍｍ）までが好ましい。
【手続補正１０】
【補正対象書類名】明細書
【補正対象項目名】００３５
【補正方法】変更
【補正の内容】
【００３５】
第１接触点３８と第２接触点４２とのゆるやかな直線距離は、一般に、小さいサイズでは約５インチ（１２７ｍｍ）以下で、高弾性の実施例では約８インチ（２０３．２ｍｍ）の範囲内である。ある実施例では、第１接触点３８と第２接触点４２との直線距離は約７インチ（１７７．８ｍｍ）から７-３/４インチ（１９６．８ｍｍ）の範囲内である。
【手続補正１１】
【補正対象書類名】明細書
【補正対象項目名】００３７
【補正方法】変更
【補正の内容】
【００３７】
一般に、後頭部接線４８と後方接線４６との間の水平基準線３６の直線距離は、約０．５（１２．７ｍｍ）又は１インチ（２５．４ｍｍ）以上であり、好ましくは、１-１/２インチ（３８．１ｍｍ）から約３インチ（７６．２ｍｍ）の範囲内である。一般に、交点５０と第２接触点４２との距離は、第１及び第２サポート部材２８及び３０の所望アーチの長さで決定され、後頭部端部３４が安全に装着者の頭の後方に嵌合するのを可能にする。ある実施例では、アーチの長さは、普通成人男子（５０番目の男子アルダーソン頭形で例示されたように）に十分であるようにデザインされ、外部後頭部突起部の下方及び前方に後頭部端部３４を配置して、ここの開示から明らかにように所望した保持を提供する。
【手続補正１２】
【補正対象書類名】明細書
【補正対象項目名】００３８
【補正方法】変更
【補正の内容】
【００３８】
この交点５０と後頭部端部３４との直線距離は、一般に、約１-１/２インチ（３８．１ｍｍ）から約４インチ（１０１．６ｍｍ）までの範囲内で、好ましくは約２-１/２インチ(６３．５ｍｍ）から約３-１/２インチ（８８．９ｍｍ）の範囲内である。
【手続補正１３】
【補正対象書類名】明細書
【補正対象項目名】００３９
【補正方法】変更
【補正の内容】
【００３９】
応力を受けない形状での第１接触点３８から後頭部端部３４までの直線距離は、約３インチ（７６．２ｍｍ）から約８インチ（２０３．２ｍｍ）までの範囲であり、典型的には成人用は約５インチ（１２７ｍｍ）から約７インチ（１７７．８ｍｍ）までの範囲である。概して、第１接触点３８と後頭部端部３４との間の静止距離は、フレーム１８に関する後頭部端部３４の動きの範囲及びサポート１２の弾力性又はメモリーによりかなり変更されてもよい。